(57)【要約】再利用可能なボックス（４）と、与えられた順序でボックス（４）と共に配列され且つボックス（４）のための詰め替え物としての役割をする多数のタバコ用箱（３）とを収容する外側パッケージ（２）を備えたタバコ用容器（１）。
2005522386.tif 000002
【特許請求の範囲】
【請求項１】
外側パッケージ（２）と、外側パッケージ（２）の内側に与えられた順序で配列される多数のタバコ用箱（３）と、外側パッケージ（２）の内側に収容される少なくとも一つの再利用可能なボックス（４）とを備えるタバコ用容器において、箱（３）と並んで配列されている再利用可能なボックス（４）が、上記与えられた順序で箱（３）とともに配列され、且つ、箱（３）の一つを収容しており；残りの箱（３）の各々一つは再利用可能なボックス（４）のための詰め替え物としての役目をすることを特徴とする容器（１）。
【請求項２】
各々の上記箱（３）は、空気を通さない上層を覆う包装材（９）をさらに備える外側パッケージ（７）を備えていることを特徴とする請求項１に記載の容器。
【請求項３】
各々の上記箱（３）は、空気を通さない上層を覆う包装材（９）により範囲を規定される外側パッケージ（７）を備えていることを特徴とする請求項１または２に記載の容器。
【請求項４】
上記上層を覆う包装材（９）及び上記再利用可能なボックス（４）は、それぞれ印刷することが可能な材料で作られていることを特徴とする請求項２または３に記載の容器。
【請求項５】
上記再利用可能なボックス（４）及び上記箱（３）の各々は、一番目の、そして、各々、二番目の、外側から見ることができるグラフィック（８，１１）が印刷されていることを特徴とする請求項１〜４のいずれか一つに記載の容器。
【請求項６】
上記一番目のグラフィック（８）は、上記二番目のグラフィック（１１）とは異なっていることを特徴とする請求項５に記載の容器。
【請求項７】
上記再利用可能なボックス（４）は、開けることができ且つ上記箱（３）の通過を可能にする形状及び大きさである開口（６）を閉じることができる蓋（５）を備えている閉鎖状のボックスであることを特徴とする請求項１〜６のいずれか一つに記載の容器。
【請求項８】
上記再利用可能なボックス（４）の内部形状及び各々の上記箱（３）の外部形状は、実質上相補的であることを特徴とする請求項７に記載の容器。
【請求項９】
上記再利用可能なボックス（４）は、厚紙で作られていることを特徴とする請求項１〜８のいずれか一つに記載の容器。
【請求項１０】
上記再利用可能なボックス（４）は、プラスチック材料で作られていることを特徴とする請求項１〜８のいずれか一つに記載の容器。
【請求項１１】
上記再利用可能なボックス（４）は、金属材料で作られていることを特徴とする請求項１〜８のいずれか一つに記載の容器。
【請求項１２】
容器（１）の内側には、容器（１）の内側において箱（３）のグループに一定の寸法を与えるためにボックス（４）の寸法を補う機能を有している紙シートまたはカートンが提供されていることを特徴とする請求項１〜１１のいずれか一つに記載の容器。
【請求項１３】
紙シートまたはカートンは、印刷されており且つクーポンの機能を有していることを特徴とする請求項１２に記載の容器。
【請求項１４】
紙シートまたはカートンは、折り曲げられていることを特徴とする請求項１２または１３に記載の容器。
【発明の詳細な説明】
【技術分野】
【０００１】
本発明は、タバコ容器に関する。
さらに、特に、本発明は、外側パッケージと上記外側パッケージ内に与えられた順序に従って配列されている多数のタバコ箱とを備えたタバコ容器に関する。
【背景技術】
【０００２】
一般に、“カートン”として言及されている、上記タイプの公知のタバコ容器は、その各々が個々に使用され、それゆえ、タバコ用箱が使用中に受けるストレスを一定の期間持ちこたえるための、かつ、箱中のたばこの本来の特質を外部環境条件を考慮せずに使用に先立つ比較的長い期間保存するための構造を与えられているたくさんの箱を備えている。
これは、一般には、内部ホイル包装材と、使用中に機械的なストレスに持ちこたえるように設計された硬質の或いは軟質の外部包装材と、それが開封されるまで箱をシールする透明な外側上層を覆う包装材を備えるパッケージを有する各々のタバコ用箱を提供することによって達成される。
そのような箱は、特に、それが一般にタバコに次いで最も高価な箱の部分である外側包装材が再利用できないという事実を考慮して、明らかに比較的高価である。
【０００３】
米国特許5301805号は、タバコの軟質パックを入れるための限られた期間再利用が可能である硬質パックを開示している；その再利用可能な硬質パックは、硬質パックの外壁に関して動作する際に、軟質パックを硬質パックの頂部の上方へかつ硬質パックを超えて押し上げる回動可能な底壁に付属された摺動可能な内壁の特長によって、タバコへのアクセスが簡単に行えることを可能にしている。頂壁上の張り出し部分は、硬質パックの底面を越えて下方に底壁が回動することを防ぐために片側の壁を横切りかつ越えて伸展している。頂壁の反対側は、頂部の閉鎖状況を開くことなしにタバコが移動することができる間隙をそのままにしている；タック部分は回動可能に頂壁に付属されている。パックが閉じられる際は、タック部分がパックの前壁に対して内側に置かれている。一つのそのような硬質パックは、折り畳まれて標準１０パックカートンの中に挿入されている；特に、これらの再利用可能なパックの一つは、１０の標準的な軟質パックまたはホイルパックに沿って標準１０パックカートンに挿入され、消費者はホイルまたは軟質パックを再利用可能なパックに挿入し、それから終了した際に、再利用可能なパックを新しいホイルまたは軟質パック用に残すために、内部のホイルまたは軟質パックを捨て、消費者は、それから、最後の軟質パックが吸い終わった後に再利用可能なケースを捨てる。
【０００４】
米国特許第５６６９４９３号は、薄いボール紙から作られ且つカートンの端部分の分離を許容する切り取り線及び/またはダイスカットラインが提供されているタバコパック用の包みパック、またはカートンを開示している；カートンの端部分を分離されることができるタブは、少なくとも一つの標準タバコパックを収容し保護するように適合される小さな再利用可能なボックスを形成するように折り畳まれている。
【０００５】
米国特許5301805号及び米国特許第５６６９４９３号の両者は、たくさんのタバコ用の軟質な箱を収容する外側パッケージ及び硬質な再利用可能なボックスを作るための平坦上ブランクを有するタバコパック用カートンを開示している；消費者はブランクから始める硬質の再利用可能なボックスを作らなければならない。しかしながら、硬質の再利用可能なボックスの質は、硬質の再利用可能なボックスが平坦上ブランクを使って消費者によって作成されねばならないという事実により、割合に良くない；さらにまた、ユーザーは平坦上ブランクを使って硬質の再利用可能なボックスを作成するに際していくつかの問題を持つこととなる。
【発明の開示】
【０００６】
同じ外観で機械的に強くそしてそれが等しく使いやすい箱を消費者に提供するまでの間に、高コストの容器を無くすことを製造業者によって可能にすることにより上述の欠点を少なくとも部分的に排除することが本発明の目的である。
【０００７】
本発明によれば、外側パッケージと、外側パッケージの内側に与えられた順序で配列される多数のタバコ用箱と、外側パッケージの内側に収納される少なくとも一つの再利用可能なボックスを備えたタバコ用容器が提供されている；その容器は、箱と並んで配列されている再利用可能なボックスは上記与えられた順序で箱と共に配列され、箱の一つを収容している；他の箱の各々一つは再利用可能なボックス用詰め替え物として位置付けられるということによって特徴づけられている。
使用中における必要な機械的強度が再利用可能なボックスによって完全に提供されるので、各箱がその中に挿入されて使用される際には、各箱のパッケージは大いに単純化され、むしろ空気を通さない上層の包装材のみに限定される。
【発明を実施するための最良の形態】
【０００８】
限定されることのない本発明の実施形態が、一例として添付の図面に関連して説明されている。
図１における番号１は、外側パッケージ２と、外側パッケージ２内に収容されるタバコ用の多数の箱３と、外側パッケージ２内に箱３と並んで収容されかつ箱３と共に与えられた順序で配列される少なくとも一つの再利用可能なボックス４とを備えている、以下に“カートン”として言及されるタバコ容器を全体として示している。
【０００９】
図４で一層明瞭に示されているように、ボックス４は、箱３の通過を可能にする形及びサイズの開口６にアクセスするために開けられることができる蓋５を備えている閉鎖状の箱体であり、ボックス４の内側の形及び各箱３の外側の形は、実質上、互いに補い合っており、そのため、箱３はボックス４の中に完全に挿入されかつ閉ざされ、そしてそのため各箱３はボックス４のための詰め替え物としての役割となる。
添付の図に示されている例において、カートン１は、長くなった直角をなす平行六面体形状の普通のカートンであり、ボックス４は直角をなす平行六面体の形状でヒンジ付きの蓋を有する箱体であり、各箱３はまた直角の平行六面体形状の外側パッケージ７を有している。
【００１０】
上記に関連して、多数の箱３と、中が空であるか最初は箱３が収容されているかいずれかであるが、いかなる場合でも箱３で詰め替えることができる少なくとも一つのボックス４とは、いかなる形状であっても外側パッケージ２の形状に関係なく、いかなるタイプであってもパッケージ２のタイプに関係なく、外側パッケージ２の形及びサイズと共存できるいかなる配列順であっても外側パッケージ２の内側に配列される箱３及びボックス４の配列順に関係なく、さらに、例示して説明したようなヒンジ付き蓋を有するタイプのボックス４と箱３のタイプのようなボックス４及び箱３の形状に関係なく、組み合わせることができるということが指摘されるべきである。
【００１１】
再利用するために、ボックス４は、むしろ、厚紙、プラスチック、金属板のような比較的強い材料で作られている。どのケースでも、ボックス４は印刷可能な材料で作られているので、そのため、その外表面は、イメージ8a及び/またはメッセージ８ｂを備える８の全体として示されているグラフィックの支援としての役割となることができる。
【００１２】
可能な限り親しみやすくかつ安価である状況に箱３を作成するために、各箱３の外側パッケージ７は、むしろ、開封用細条片１０を用いて開封される空気を通さない外側包装材9によってもっぱらその範囲を規定されている。
透明であり或いは不透明である外側包装材９はまた印刷可能な材料で作られているので、そのため、その外表面は、イメージ11a及び/またはメッセージ１１ｂを備える１１の全体として示されているグラフィックの支援としての役割となることができ、そのグラフィックはグラフィック８と同じである必要はない。
もし、外側パッケージ７がグラフィック１１を印刷した内側包装材を備えるならば、外側包装材９は、グラフィック１１が外側から見ることができるように透明材料で作成される。
【００１３】
さらなる実施形態（添付図面には示されていない）に従えば、カートン１の内側には、紙シートまたはカートンが提供されており、それは、カートン１の内側において箱３のグループに一定の寸法を与えるためにボックス４の寸法を補う機能を持っている。紙シートまたはカートンは印刷され及び/または折り曲げられそしてクーポンの機能を持つことができる。
実際の使用では、ひとたび外側パッケージ２が開封されると、ユーザーは、ボックス４を移動し、そして、最初にボックス４に収納された箱3がひとたび開封されかつ消費されると、カートン１が空になるまで次々にボックス4へ箱3を詰め替える。
【図面の簡単な説明】
【００１４】
【図１】本発明による容器の好ましい実施形態における、明確にするために一部を取り除いた状態の透視図。
【図２】図１における一番目の詳細部分を拡大した透視図。
【図３】図１における二番目の詳細部分を拡大した透視図。
【図４】図２及び３における詳細部分の使用状態の透視図。
【図１】
2005522386.tif 000003
【図３】
2005522386.tif 000004
【図２】
2005522386.tif 000005
【図４】
2005522386.tif 000006
【国際調査報告】
2005522386.tif 000007
2005522386.tif 000008
2005522386.tif 000009